(57)【特許請求の範囲】
【請求項１】
背もたれ部内を昇降可能なマッサージユニットを備えると共に該マッサージユニットに背もたれ部から前方に突出する施療部を設け、背もたれ部の前面に、上方に開口する略Ｕ字状に一体に形成されたクッションを配置し、該略Ｕ字状のクッションの開口部に前記マッサージユニットと共に昇降する施療部を配置して該施療部をクッションの開口部内において移動自在とし、前記クッションを背もたれ部の前面に固定するための固定手段を備え、該固定手段をクッションの開口部の下縁に対して下向きの一定量以上の外力が加わった際に剥がれる面ファスナーで構成し、この面ファスナーとして、クッションの開口部を挟んだ両外側部分の上端部の夫々にクッション側第一面ファスナーを設けると共に、背もたれ部に前記各クッション側第一面ファスナーに着脱自在に取り付けられる背もたれ部側第一面ファスナーを設け、クッションに前記開口部の下縁よりも下方に位置するクッション側第二面ファスナーを設けると共に、背もたれ部に前記クッション側第二面ファスナーに着脱自在に取り付けられる背もたれ部側第二面ファスナーを設け、クッション側第二面ファスナーと背もたれ部側第二面ファスナーの接着力を、クッション側第一面ファスナーと背もたれ部側第一面ファスナーの接着力よりも大きくして成ることを特徴とする椅子型マッサージ機。
【発明の詳細な説明】
【技術分野】
【０００１】
本発明は背もたれ部の前面にクッションを設けた椅子型マッサージ機に関する。
【背景技術】
【０００２】
従来、例えば特許文献１に示すような背もたれ部内を昇降可能なマッサージユニットを備えると共に該マッサージユニットに背もたれ部から前方に突出する施療部を設けた椅子型マッサージ機が知られている。ところで、この特許文献１のマッサージ機は背もたれ部の前面に亘って略長方形状のクッションを設けてあり、前記施療部によるマッサージをクッションを介して行うものであるため施療部による効果的なマッサージを行えないという問題がある。
【０００３】
また、他の従来例として、図４のように背もたれ部２の前面の一側部と他側部と下部中央部の夫々に面ファスナーによりクッション４ａ〜４ｃを固定し、これら３個のクッション４ａ〜４ｃで略Ｕ字状をなすように配置し、これら全体で略Ｕ字状をなす３個のクッション４ａ〜４ｃで形成される開口部８に施療部７を配置して該施療部７を開口部８内において移動自在としたものが知られている。
【０００４】
ここで、図４において中央下部のクッション４ｂを両側のクッション４ａ、４ｃと別体としたのは以下の理由による。上記のように背もたれ部２の前面に前記３個のクッション４ａ〜４ｃを全て一体に形成したような略Ｕ字状のクッションとした場合には、背もたれ部２から前方に突出する施療部７が開口部８を下方に移動した時に該施療部７と開口部８の下縁との間に小さな子供の首等が挟まれる恐れがある。そこで、図４に示すものはクッション４ｂを別体とすることで、施療部７とクッション４ｂとの間に小さな子供の首等が挟まれた場合にクッション４ｂのみが背もたれ部２から外れるようにし、これにより上記問題を解決している。
【０００５】
しかし、上記図４に示す椅子型マッサージ機は３個のクッション４ａ〜４ｃを別々に製造する必要があるため製造コストが高いという問題があり、またクッション４ａ〜４ｃを背もたれ部に取り付けたり、取り外したりするのが面倒である。
【特許文献１】特開２０００−３５０７５８号公報
【発明の開示】
【発明が解決しようとする課題】
【０００６】
本発明は上記従来の問題点に鑑みてなされたものであって、施療部により効果的にマッサージができると共に安全性を確保でき、尚且つコストを削減でき、背もたれ部に対するクッションの取り付け・取り外しを簡単に行うことのできる椅子型マッサージ機を提供する。
【課題を解決するための手段】
【０００７】
上記課題を解決するために本発明に係る椅子型マッサージ機は、背もたれ部２内を昇降可能なマッサージユニット５を備えると共に該マッサージユニット５に背もたれ部２から前方に突出する施療部７を設け、背もたれ部２の前面に、上方に開口する略Ｕ字状に一体に形成されたクッション４を配置し、該略Ｕ字状のクッション４の開口部８に前記マッサージユニット５と共に昇降する施療部７を配置して該施療部７をクッション４の開口部８内において移動自在とし、前記クッション４を背もたれ部２の前面に固定するための固定手段を備え、該固定手段をクッション４の開口部８の下縁に対して下向きの一定量以上の外力が加わった際に剥がれる面ファスナーで構成し、この面ファスナーとして、クッション４の開口部８を挟んだ両外側部分の上端部の夫々にクッション側第一面ファスナー１０を設けると共に、背もたれ部２に前記各クッション側第一面ファスナー１０に着脱自在に取り付けられる背もたれ部側第一面ファスナー１１を設け、クッション４に前記開口部８の下縁よりも下方に位置するクッション側第二面ファスナー１２を設けると共に、背もたれ部２に前記クッション側第二面ファスナー１２に着脱自在に取り付けられる背もたれ部側第二面ファスナー１３を設け、クッション側第二面ファスナー１２と背もたれ部側第二面ファスナー１３の接着力を、クッション側第一面ファスナー１０と背もたれ部側第一面ファスナー１１の接着力よりも大きくして成ることを特徴とする。
【０００８】
上記のように背もたれ部２の前面に略Ｕ字状のクッション４を配置し、該クッション４の開口部８にマッサージユニット５と共に昇降する施療部７を配置して該施療部７をクッション４の開口部８内において移動自在としたことで、施療部７をクッション４を介さずに直接的に被施療者の背中や腰に当てることができる。また、クッション４の背もたれ部２の前面に固定するための固定手段を、クッション４の開口部８の下縁に対して下向きの一定量以上の外力が加わった際に剥がれる面ファスナー１０、１１で構成したことで、万が一、マッサージユニット５の下降時に施療部７とクッション４の開口部８の下縁との間に子供の首などが挟まったとしても、この際にはクッション４に設けた面ファスナー１０が背もたれ部２に設けた対応する面ファスナー１１から剥がれてクッション４の開口部８の下縁が下方に移動することとなり、前記挟み込みを防止できる。
【発明の効果】
【０００９】
本発明では、施療部をクッションを介さずに直接的に被施療者の背中や腰に当てることができ、施療部によりマッサージを効果的に行うことができる。また、マッサージユニットの下降時に施療部とクッションの開口部の下縁との間に子供の首などが挟まることを防止でき、安全性を確保できる。また、クッションを略Ｕ字状に一体に形成することで、コストを削減でき、また背もたれ部に対するクッションの取り付け・取り外しを簡単に行うことができる。
【発明を実施するための最良の形態】
【００１０】
以下、本発明を添付図面に示す実施形態に基づいて説明する。図１及び図２に示すように、本実施形態の一例の椅子型マッサージ機は、四隅に設けた脚３を介して床上に設置される座部１と、座部１の後端から立ち上がる背もたれ部２で主体を構成してあり、合成樹脂製の筐体からなる背もたれ部２の背もたれ面となる前面にはクッション性を高めるためにクッション４が着脱自在に取り付けられる。
【００１１】
図に示すように後傾となった背もたれ部２には図示しない駆動手段により背もたれ部２内を昇降するマッサージユニット５を内蔵している。マッサージユニット５の両側には背もたれ部２の前面に形成した縦長長方形状の孔部６を介して背もたれ部２の前方に突出する施療部７を設けている。各施療部７の先端には揉み玉からなる施療子７ａを設けてあり、マッサージユニット５を昇降しながら又は所定の高さ位置に配置した状態で、座部１に着座した被施療者の背中や腰に施療子７ａを当てて施療部７を駆動することでマッサージが行われる。なお、各施療部７は孔部６を閉塞する布等のカバー材９によって覆われているものとし、外部には露出しない。
【００１２】
背もたれ部２の前面に沿って配置されるクッション４はやや厚みのある板状で且つ上方に開口する略Ｕ字状の一体に形成されたものであり、幅方向の中央には上端から下方に向かって延びる縦長長方形状の開口部８が形成されている。クッション４は開口部８が背もたれ部２の孔部６の上部と重複し且つ両側部分が背もたれ部２の前面の両側部分を覆い、且つ開口部８の下方部が背もたれ部２の孔部６の下部を覆うように配置され、背もたれ部２の前面の孔部６の上部を除く部分を覆う。
【００１３】
上記クッション４を背もたれ部２の前面に固定するための固定手段はクッション４の後面に設けた面ファスナー１０とこれと対となる背もたれ部２の前面に設けた面ファスナー１１で構成してある。図示例ではクッション４の開口部８の下縁以上の高さに位置する箇所、詳しくはクッション４の後面において開口部８を挟んだ両外側部分の上端部の夫々に、接着面がフック面となった雄の面ファスナー１０、１０を設けている。また、背もたれ部２の各面ファスナー１０、１０に対応する箇所、即ち、背もたれ部２の両側端部の上端部に、接着面がループ面となった雌の面ファスナー１１、１１を設けている。そして、クッション４に設けた各面ファスナー１０、１０を対応する背もたれ部２に設けた面ファスナー１１、１１の夫々に着脱自在に取り付けている。
【００１４】
また、上記マッサージユニット５と共に上下動する施療部７は前記背もたれ部２の孔部６内及び背もたれ部２の前面に取り付けたクッション４の開口部８内に配置される。これによりマッサージユニット５の昇降範囲においては背もたれ部２やクッション４に接触することなく背もたれ部２の孔部６内及びクッション４の開口部８内を昇降できるようになっている。
【００１５】
ここで、上記クッション４の背もたれ部２への固定手段となる各面ファスナー１０、１１は、接着面の面積を変更したり、接着面の種類を例えばモヘアタイプやループタイプなどに変更することで、その接着力をクッション４の開口部８の下縁に対して下向きの一定量以上の外力が加わった際に剥がれるように設定している。ここで言う接着力とは、通常被施療者がクッション４を介して背もたれ部２にもたれた程度では各々の対の面ファスナー１０、１１が剥がれず、且つマッサージユニット５の下降時において各施療部７とクッション４の開口部８の下縁との間に子供の首等が挟まった場合に外れる程度に設定してある。なお、上記では対となる面ファスナー１０、１１を雌雄の面ファスナー１０、１１で構成したが、接着面にフックとループの両方を備えた雌雄の区別のない一対の面ファスナーで構成しても良いものとする。
【００１６】
以上、説明した本例の椅子型マッサージ機は、背もたれ部２の前面に略Ｕ字状をなすクッション４を配置し、該クッション４の開口部８にマッサージユニット５と共に昇降する施療部７を配置して該施療部７をクッション４の開口部８内において移動自在としたことで、施療部７をクッション４を介さずに直接的に被施療者の背中や腰に当てることができ、施療部７により効果的にマッサージを行うことができる。また、クッション４の背もたれ部２の前面に固定するための固定手段を、クッション４の開口部８の下縁に対して下向きの一定量以上の外力が加わった際に剥がれる面ファスナー１０、１１のみで構成したことで、万が一、図２の破線で示すようにマッサージユニット５が下降して各施療部７とクッション４の開口部８の下縁との間に子供の首などが挟まったとしても、この際にはクッション４に設けた面ファスナー１０、１０が背もたれ部１に設けた対応する面ファスナー１１、１１から剥がれ、クッション４が背もたれ部２から外れて下方に移動することとなり、上記挟み込みを防止できる。また、このクッション４は略Ｕ字状に一体に形成されたものであるためコストを削減でき、また簡単にクッション４を背もたれ部２に取り付けたり、取り外したりできる。
【００１７】
なお、上記ではクッション４の開口部８の下縁以上の高さに位置する箇所にのみ面ファスナー１０を設け、背もたれ部２の面ファスナー１０に対応する箇所に対となる面ファスナー１１を設けたが、図３のように、上記面ファスナー１０及び１１に加えて、クッション４の後面において開口部８の下縁よりも下方の位置に面ファスナー１２を設けると共に、背もたれ部２の前面において面ファスナー１２の対応する位置に面ファスナー１２と対となる面ファスナー１３を設けても良い。具体的に図３の例では、接着面がフック面となった雄の面ファスナー１２、１２をクッション４の下端部の両側端部に設け、背もたれ部２の面ファスナー１２、１２に対応する位置に接着面がループ面となった雌の面ファスナー１３、１３を設けている。また、背もたれ部２の上端部に設けた各面ファスナー１１の接着面は剥がれやすいループタイプとしているのに対して、背もたれ部２の下端部に設けた各面ファスナー１３の接着面は剥がれ難いモヘアタイプとしており、これにより各面ファスナー１２とこれと対となる面ファスナー１３の接着力は各面ファスナー１０とこれと対となる面ファスナー１１の接着力よりも大きくしてある。なお、この面ファスナー１０、１１と面ファスナー１２、１３の接着力の違いは接着面の面積を異ならせることで行っても良いものとする。
【００１８】
このようにクッション４の後面において面ファスナー１２、１２を設けると共に、これと対となる面ファスナー１３、１３を背もたれ部２に設けることでクッション４を背もたれ部２に確実に固定でき、またクッション４の紛失等を防止することもできる。また、上記面ファスナー１２、１２はクッション４の開口部８の下縁よりも下方の位置に設けてあるため、マッサージユニット５が下降して各施療部７とクッション４の開口部８の下縁との間に子供の首等が挟まった際には、図１の例と同様に面ファスナー１０、１０を背もたれ部１に設けた対応する面ファスナー１１、１１から支障なく剥がすことができて、安全性を高めることができる。
【図面の簡単な説明】
【００１９】
【図１】本発明の実施の形態の一例の椅子型マッサージ機の斜視図である。
【図２】同上の説明図である。
【図３】他例の椅子型マッサージ機の斜視図である。
【図４】従来の椅子型マッサージ機の斜視図である。
【符号の説明】
【００２０】
２  背もたれ部
４  クッション
５  マッサージユニット
７  施療部
８  開口部
１０  面ファスナー（雄）
１１  面ファスナー（雌）
【図１】
0004893571.tif 000002
【図２】
0004893571.tif 000003
【図３】
0004893571.tif 000004
【図４】
0004893571.tif 000005